(57)【要約】【課題】  コンテンツのアップロード状態を画一的な手段で一度に把握でき、本来削除すべきコンテンツがいつまでも残り続けるといった事態を回避することを目的とする。【解決手段】  本発明の携帯無線端末１１０は、端末表示部２１４と、任意の外部サーバへアップロードしたコンテンツを特定するアップロード情報を記憶する端末メモリ２１２と、アップロード情報によって特定されるコンテンツの削除確認インターフェース２８０を端末表示部に表示する端末情報表示部２４２と、削除確認インターフェースを通じて削除対象となる１または複数のコンテンツを受け付ける端末削除受付部２４４と、端末削除受付部で受け付けた削除対象となるコンテンツを外部サーバ１５０から削除するコンテンツ削除部２４６と、を備えることを特徴とする。【選択図】  図２
2010033341.tif 000002
【特許請求の範囲】
【請求項１】
端末表示部と、
外部サーバへアップロードしたコンテンツを特定するアップロード情報を記憶する端末メモリと、
前記アップロード情報によって特定されるコンテンツの削除確認インターフェースを前記端末表示部に表示する端末情報表示部と、
前記削除確認インターフェースを通じて削除対象となる１または複数のコンテンツの指定を受け付ける端末削除受付部と、
前記端末削除受付部で受け付けた削除対象となるコンテンツを前記外部サーバから削除するコンテンツ削除部と、
を備えることを特徴とする携帯無線端末。
【請求項２】
前記端末情報表示部は、当該携帯無線端末の通信機能解除または内部情報削除をする場合に機能することを特徴とする請求項１に記載の携帯無線端末。
【請求項３】
端末表示部と、
外部サーバへアップロードしたコンテンツを特定するアップロード情報を記憶する端末メモリと、
当該携帯無線端末の通信機能解除または内部情報削除をする場合に、前記アップロード情報を前記端末表示部に表示する端末情報表示部と、
を備えることを特徴とする携帯無線端末。
【請求項４】
前記端末情報表示部は、前記アップロード情報によって特定されるコンテンツの削除確認インターフェースを前記端末表示部に表示し、
前記削除確認インターフェースを通じて削除対象となる１または複数のコンテンツの指定を受け付ける端末削除受付部と、該端末削除受付部で受け付けた削除対象となるコンテンツを前記外部サーバから削除するコンテンツ削除部と、をさらに備えることを特徴とする請求項３に記載の携帯無線端末。
【請求項５】
前記コンテンツ削除部が削除したコンテンツのアップロード情報を前記メモリ端末から削除するアップロード情報削除部をさらに備えることを特徴とする請求項１から４のいずれか１項に記載の携帯無線端末。
【請求項６】
外部サーバにコンテンツをアップロードするとき、該コンテンツを削除するための削除実行モジュールの実行指令を前記アップロード情報に関連付ける実行指令追加部をさらに備えることを特徴とする請求項１から５のいずれか１項に記載の携帯無線端末。
【請求項７】
外部サーバへアップロードしたコンテンツを特定するアップロード情報を記憶しておき、
前記アップロード情報によって特定されるコンテンツの削除確認インターフェースを端末表示部に表示し、
前記削除確認インターフェースを通じて削除対象となる１または複数のコンテンツを受け付け、
前記受け付けた削除対象となるコンテンツを前記外部サーバから削除することを特徴とする無線通信方法。
【請求項８】
携帯無線端末と、該携帯無線端末と接続された管理サーバとを含むコンテンツ参照システムであって、
前記管理サーバは、
サーバ表示部と、
前記携帯無線端末が外部サーバへアップロードしたコンテンツを特定するアップロード情報を、該携帯無線端末の端末メモリから取得する情報取得部と、
前記アップロード情報によって特定されるコンテンツの削除確認インターフェースを前記サーバ表示部に表示するサーバ情報表示部と、
前記削除確認インターフェースを通じて削除対象となる１または複数のコンテンツの指定を受け付けるサーバ削除受付部と、
前記サーバ削除受付部で受け付けた削除対象となるコンテンツを前記携帯無線端末に通知する削除コンテンツ通知部と、
を備え、
前記携帯無線端末は、
前記アップロード情報を記憶する端末メモリと、
前記削除コンテンツ通知部から通知されたコンテンツを前記外部サーバから削除するコンテンツ削除部と、
を備えることを特徴とするコンテンツ参照システム。
【発明の詳細な説明】
【技術分野】
【０００１】
本発明は、外部サーバへアップロードしたコンテンツを参照可能な携帯無線端末、無線通信方法、およびコンテンツ参照システムに関する。
【背景技術】
【０００２】
近年、携帯電話やＰＨＳ(Personal Handy phone System)端末に代表される携帯無線端末が普及し、場所や時間を問わず通話や情報入手が可能となった。特に昨今では、入手可能な情報量も増加の一途を辿り、大容量のデータをダウンロードするため高速かつ高品質な無線通信方式が採用されている。かかる無線通信方式は、ダウンロードのみならずアップロードにおいても大容量のデータを伝送することができる。
【０００３】
また、このような携帯無線端末におけるデータのアップロードを通じて、携帯無線端末で撮像した画像（静止画および動画）や音声といったコンテンツをインターネット上の外部サーバに公開する技術が確立されている。一旦公開されたこのようなコンテンツは、不特定多数の第三者が自由に閲覧できる。
【０００４】
従来、このようなコンテンツのアップロードには、コンピュータに関するある程度の知識を要していたが、静止画または動画といったコンテンツを、アップロードボタンを押すだけといった容易な操作を通じて、外部に設けられたストレージに自動的にアップロードできる技術が公開されている（例えば、特許文献１）。
【０００５】
また、アップロードされたコンテンツの利用方法として、アップロードされた画像群中の特定画像に関連付けられた投票情報を集計し、その投票情報の集計結果に基づいて他の端末に表示させる内容を決定する技術も公開されている（例えば、特許文献２）。
【特許文献１】特開２００２−１０１３７３号公報
【特許文献２】特開２００４−  ７０６１４号公報
【発明の開示】
【発明が解決しようとする課題】
【０００６】
上述した技術等を通じてアップロードされたコンテンツは、ユーザを特定可能なユーザＩＤや携帯無線端末を特定可能な端末ＩＤ等のアカウント情報に基づいて付与されるコンテンツＩＤによって管理される。従って、そのコンテンツの公開を停止すべく、外部サーバからコンテンツを削除しようと試みた場合にもアップロード時に付与されたコンテンツＩＤが必要となる。
【０００７】
また、コンテンツＩＤは、携帯無線端末内に保持させることが多いので、その携帯無線端末の解約時には問題が生じ得る。例えば、携帯無線端末による無線通信システムを提供する通信事業者の専用サーバでは、アップロードしたコンテンツが解約と共に削除され、コンテンツが意志に反して残ることはないが、アップロード先が通信事業者に関係のない外部サーバである場合、個別に削除処理を実行しない限りそのコンテンツは残ったままとなる。
【０００８】
携帯無線端末の解約後に外部サーバに残ったコンテンツを削除しようと試みた場合、既に無線通信が絶たれているので、当該携帯無線端末を用いて外部サーバから直接コンテンツを削除することができない。従って、解約後の携帯無線端末から削除を要する複数のコンテンツＩＤを逐一抜き出し、別体の携帯無線端末またはパーソナルコンピュータ等を通じてコンテンツを削除するといった煩雑な作業が強いられる。しかも、コンテンツＩＤが例えば解約した携帯無線端末のアカウント情報に関連付けられていた場合、そもそも他の端末からコンテンツを削除できないといった事態が生じ得る。また、そのコンテンツＩＤ自体を削除、または失念してしまった場合、コンテンツが削除不能に陥ってしまう。
【０００９】
外部サーバによってはリマインダ等により、そのコンテンツＩＤを再度配信するものもあるが、その配信先は、登録したメールアドレス、即ち、解約した携帯無線端末のメールアドレスとなっていることが多いため、コンテンツＩＤを受け取ることもできなかった。
【００１０】
従って、アップロードしたコンテンツの削除について考慮せず、安易に携帯無線端末を解約してしまうと、後からコンテンツ削除のための多大な労力を費やす結果を招いていた。
【００１１】
本発明は、このような問題に鑑み、コンテンツのアップロード状態を画一的な手段で一度に把握でき、本来削除すべきコンテンツがいつまでも外部サーバに残り続けるといった事態を回避することが可能な、携帯無線端末、無線通信方法、およびコンテンツ参照システムを提供することを目的としている。
【課題を解決するための手段】
【００１２】
上記課題を解決するために、本発明の携帯無線端末の代表的な構成は、端末表示部と、外部サーバへアップロードしたコンテンツを特定するアップロード情報を記憶する端末メモリと、アップロード情報によって特定されるコンテンツの削除確認インターフェースを端末表示部に表示する端末情報表示部と、削除確認インターフェースを通じて削除対象となる１または複数のコンテンツの指定を受け付ける端末削除受付部と、端末削除受付部で受け付けた削除対象となるコンテンツを外部サーバから削除するコンテンツ削除部と、を備えることを特徴とする。
【００１３】
本発明では、外部サーバにコンテンツをアップロードした際に付与されるアップロード情報がそのまま、またはリスト化したテーブルとして記憶される。端末情報表示部は、アップロード情報を画一的に表示でき、ユーザに対してコンテンツのアップロード状態を一度に把握させることができる。また、削除確認インターフェースを通じて、ユーザは削除を望むコンテンツを容易に探し出すことができ、アップロード情報を選択するだけといった簡単な操作のみでコンテンツの実際の削除を実行できる。こうして、本来削除すべきコンテンツがいつまでも残り続けるといった事態を回避することが可能となる。さらに、当該アップロード情報は過去のアップロード履歴としても利用できるためアップロードしたことを失念した場合においてもそのコンテンツを確実に把握および削除することができる。
【００１４】
端末情報表示部は、当該携帯無線端末の通信機能解除または内部情報削除をする場合に機能してもよい。
【００１５】
携帯無線端末の解約やリセットに伴う通信機能解除や内部情報削除が生じた場合、その後におけるコンテンツの削除には多大な労力を費やしてしまう。本発明では、このような通信機能解除や内部情報削除といったタイミングで、無線通信が絶たれる前に、コンテンツの把握および削除の是非を問う端末情報表示部を機能させることで、削除容易なタイミングを逃してしまうといった事態に陥るのを回避できる。
【００１６】
本発明の携帯無線端末の代表的な他の構成は、端末表示部と、外部サーバへアップロードしたコンテンツを特定するアップロード情報を記憶する端末メモリと、当該携帯無線端末の通信機能解除または内部情報削除をする場合に、アップロード情報を端末表示部に表示する端末情報表示部と、を備えることを特徴とする。
【００１７】
本発明では、外部サーバにコンテンツをアップロードした際に付与されるアップロード情報が記憶される。そして、携帯無線端末の解約やリセットに伴う通信機能解除や内部情報削除が生じた場合に、端末情報表示部が、アップロード情報を画一的に表示するので、ユーザに対してコンテンツのアップロード状態を一度に把握させることができる。さらに、当該アップロード情報は過去のアップロード履歴としても利用できるためアップロードしたことを失念した場合においてもそのコンテンツを確実に把握することができる。
【００１８】
端末情報表示部は、アップロード情報によって特定されるコンテンツの削除確認インターフェースを端末表示部に表示し、削除確認インターフェースを通じて削除対象となる１または複数のコンテンツの指定を受け付ける端末削除受付部と、端末削除受付部で受け付けた削除対象となるコンテンツを外部サーバから削除するコンテンツ削除部と、をさらに備えてもよい。
【００１９】
本発明では、削除確認インターフェースを通じてユーザは削除を望むコンテンツを容易に探し出すことができ、アップロード情報を選択するだけといった簡単な操作のみでコンテンツの実際の削除を実行できる。こうして、本来削除すべきコンテンツがいつまでも残り続けるといった事態を回避することが可能となる。
【００２０】
コンテンツ削除部が削除したコンテンツのアップロード情報をメモリ端末から削除するアップロード情報削除部をさらに備えてもよい。
【００２１】
コンテンツが削除されるとそのコンテンツのアップロード情報は最早不要となる。従って、コンテンツに連動させてメモリ端末からアップロード情報を削除することで、不要な情報の残留を回避し、ユーザは、有効なコンテンツのみを一度に把握することが可能となる。
【００２２】
外部サーバにコンテンツをアップロードするとき、コンテンツを削除するための削除実行モジュールの実行指令をアップロード情報に関連付ける実行指令追加部をさらに備えてもよい。
【００２３】
本発明では、コンテンツを特定するアップロード情報にさらに、その削除を補助する削除実行モジュールの実行指令を関連付ける。かかる削除実行モジュールは、外部サーバから提供される削除専用ＵＲＬ（Uniform Resource Locator）、電子メールアドレス等のアクセス情報を含み、コンテンツＩＤを用いて単独でコンテンツを削除することが可能な実行形式で形成される。
【００２４】
本発明の無線通信方法の代表的な構成は、外部サーバへアップロードしたコンテンツを特定するアップロード情報を記憶しておき、アップロード情報によって特定されるコンテンツの削除確認インターフェースを端末表示部に表示し、削除確認インターフェースを通じて削除対象となる１または複数のコンテンツを受け付け、受け付けた削除対象となるコンテンツを外部サーバから削除することを特徴とする。
【００２５】
上述した携帯無線端末の技術的思想に基づく構成要素やその説明は、当該無線通信方法にも適用可能である。
【００２６】
本発明の代表的な構成は、携帯無線端末と、携帯無線端末と接続された管理サーバとを含むコンテンツ参照システムであって、管理サーバは、サーバ表示部と、携帯無線端末が外部サーバへアップロードしたコンテンツを特定するアップロード情報を、携帯無線端末の端末メモリから取得する情報取得部と、アップロード情報によって特定されるコンテンツの削除確認インターフェースをサーバ表示部に表示するサーバ情報表示部と、削除確認インターフェースを通じて削除対象となる１または複数のコンテンツの指定を受け付けるサーバ削除受付部と、サーバ削除受付部で受け付けた削除対象となるコンテンツを携帯無線端末に通知する削除コンテンツ通知部と、を備え、携帯無線端末は、アップロード情報を記憶する端末メモリと、削除コンテンツ通知部から通知されたコンテンツを外部サーバから削除するコンテンツ削除部と、を備えることを特徴とする。
【００２７】
本発明は、上述した携帯無線端末同様の処理が実行され、コンテンツのアップロード状態を画一的な手段で一度に把握でき、本来削除すべきコンテンツがいつまでも残り続けるといった事態を回避することが可能となる。本発明では、さらに、過去にアップロードしたコンテンツのアップロード情報を別体の管理サーバを通じて把握および削除することができる。例えば、管理サーバにおいて携帯無線端末より大きいモニタを準備した場合、削除を望むコンテンツを容易に探し出すことができる。また、管理サーバが携帯無線端末より処理能力が優れている場合、削除処理に費やす時間を削減でき、解約等手続の効率化を図ることが可能となる。
【００２８】
かかるコンテンツ参照システムにおける各構成要素は、上述した配置に限られず、その機能が遂行可能であれば管理サーバまたは携帯無線端末のいずれに構成されていてもよい。
【発明の効果】
【００２９】
以上説明したように本発明によれば、コンテンツのアップロード状態を画一的な手段で一度に把握でき、本来削除すべきコンテンツがいつまでも残り続けるといった事態を回避することが可能となる。
【発明を実施するための最良の形態】
【００３０】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００３１】
（第１の実施形態）
携帯電話やＰＨＳ端末等に代表される携帯無線端末は、所定の場所に設置されている基地局と無線により通信を実行する無線通信システムを構築する。ここでは、理解を容易にするためまず無線通信システム全体を説明し、その後、携帯無線端末、無線通信方法の具体的構成を説明する。
【００３２】
（無線通信システム１００）
図１は、無線通信システム１００の概略的な接続関係を示した説明図である。当該無線通信システム１００は、携帯無線端末１１０と、基地局１２０と、ＩＳＤＮ(Integrated Services Digital Network)回線、インターネット、専用回線等で構成される通信網１３０と、中継サーバ１４０と、外部サーバ１５０とを含んで構成される。
【００３３】
本実施形態の無線通信システム１００では、例えばユーザが自身の携帯無線端末１１０を用いてコンテンツのアップロードを試みると、携帯無線端末１１０は、まず、通信可能範囲内にある基地局１２０に無線接続要求を行う。無線接続要求を受信した基地局１２０は、通信網１３０を介して中継サーバ１４０に外部サーバ１５０との通信接続を要求し、中継サーバ１４０は、基地局１２０と外部サーバ１５０との通信経路を確保し、携帯無線端末１１０と外部サーバ１５０の通信を確立する。
【００３４】
そして、携帯無線端末１１０は、自体に保持されているコンテンツを外部サーバ１５０のストレージにアップロードし、外部サーバ１５０は、かかるコンテンツを他のユーザのアクセスに対して公開する。このようなアップロードされたコンテンツは、通常、意図的に削除しない限り外部サーバ１５０に残り続ける。
【００３５】
本実施形態では、自己の携帯無線端末１１０からアップロードされたコンテンツを画一的に把握させ、削除すべきコンテンツがいつまでも残り続けるといった事態を回避することを目的としている。本実施形態を実現する携帯無線端末１１０の構成を以下に説明する。
【００３６】
（携帯無線端末１１０）
図２は、携帯無線端末１１０のハードウェア構成を示した機能ブロック図であり、図３は、携帯無線端末１１０の外観を示した斜視図である。携帯無線端末１１０は、端末制御部２１０と、端末メモリ２１２と、端末表示部２１４と、端末操作部２１６と、音声入力部２１８と、音声出力部２２０と、端末無線通信部２２２と、撮像部２２４とを含んで構成される。
【００３７】
また、ここでは、携帯無線端末１１０として、携帯電話を例示しているが、かかる場合に限られず、ＰＨＳ端末、ノート型パーソナルコンピュータ、ＰＤＡ（Personal Digital Assistant）、デジタルカメラ、音楽プレイヤー、カーナビゲーション、ポータブルテレビ、ゲーム機器、ＤＶＤプレイヤー、リモートコントローラ等無線通信可能な様々な電子機器を適用することができる。
【００３８】
端末制御部２１０は、中央処理装置（ＣＰＵ）を含む半導体集積回路により携帯無線端末１１０全体を管理および制御し、端末メモリ２１２のプログラムを用いて、通話機能、メール送受信機能、撮像機能、音楽再生機能、ＴＶ視聴機能も遂行する。端末メモリ２１２は、ＲＯＭ、ＲＡＭ、ＥＥＰＲＯＭ、不揮発性ＲＡＭ、フラッシュメモリ、ＨＤＤ等で構成され、端末制御部２１０で処理されるプログラムや通信データ等を記憶する。また、端末メモリ２１２は、任意の外部サーバ１５０へアップロードしたコンテンツを特定するアップロード情報、またはそのアップロード情報をリスト化したテーブル２６０を記憶する。ここでは、アップロード情報を管理するため便宜的にテーブル２６０を用いているが、１または複数のアップロード情報をそのままコンテンツに関連付けて記憶することも当然にして可能である。
【００３９】
図４、図５、図６は、テーブル２６０の構成を示した説明図である。図４に示すように、テーブル２６０は、コンテンツ番号２６２、名称２６４、取得日２６６、種別ＩＤ２６８、サイトＩＤ２７０、投稿日時２７２、コンテンツＩＤ２７４等の項目を含んで構成される。かかるテーブル２６０では、アップロードされたコンテンツ毎にリストが形成される。
【００４０】
コンテンツ番号２６２は当該携帯無線端末１１０においてアップロードしたコンテンツを識別するための番号であり、テーブル２６０への登録順に採番される。名称２６４は、コンテンツを識別するための名称を示す。取得日２６６は、そのコンテンツが撮像部を用いて撮像した写真や動画であれば撮像日を、音声であれば録音日を示す。種別ＩＤ２６８は、図５に示すようにコンテンツの形式を表し、例えば、動画、静止画、音声といった選択肢がある。サイトＩＤ２７０は、図６に示すようにアップロードしたサイト（外部サーバ１５０）の各情報を特定する。かかるサイトＩＤ２７０は同サイトであっても相異するアカウントを取得した場合、新たなサイトＩＤを割り当てる。投稿日時２７２は、サイトＩＤ２７０で特定されるサイト（外部サーバ１５０）にアップロードした日時を示す。コンテンツＩＤ２７４は、ユーザＩＤや端末ＩＤ等のアカウント情報に基づいてコンテンツ毎に外部サーバ１５０から付与されたＩＤであり、同コンテンツの改修および削除に利用される。また、動画や静止画を特定するために、名称２６４に加えてコンテンツのサムネイルをテーブル２６０に追加することもできる。
【００４１】
端末表示部２１４は、液晶ディスプレイ、ＥＬ(Electro Luminescence)等で構成され、端末メモリ２１２に記憶された、または通信網１４０を介して外部サーバ（Ｗｅｂサーバ）１５０から提供されるＷｅｂコンテンツ、アプリケーションのＧＵＩ（Graphical User Interface）等を表示することができる。端末操作部２１６は、キーボード、十字キー、ジョイスティック等の可動スイッチで構成され、ユーザの操作入力を受け付ける。
【００４２】
音声入力部２１８は、マイク等の音声認識手段で構成され、通話時に入力されたユーザの音声を携帯無線端末１１０内で処理可能な電気信号に変換する。音声出力部２２０は、スピーカで構成され、携帯無線端末１１０で受信した通話相手の音声信号を音声に変えて出力する。また、着信音や、端末操作部２１６の操作音、アラーム音等も出力できる。
【００４３】
端末無線通信部２２２は、共通のリンクレイヤにおいてＣＤＭＡ（Code Division Multiple Access）やＷｉＭＡＸ（Worldwide interoperability for Microwave Access）等のネットワークを通じた基地局１２０との無線通信を確立し、通信相手との音声通信や外部サーバ１５０とのデータ通信を遂行する。
【００４４】
撮像部２２４は、ＣＣＤ（Charge Coupled Device）やＣＭＯＳ（Complementary Metal Oxide Semiconductor）等の映像素子で構成されており、静止画や動画等画像を撮像できる。
【００４５】
また、端末制御部２１０は、実行指令追加部２４０、端末情報表示部２４２、端末削除受付部２４４、コンテンツ削除部２４６、アップロード情報削除部２４８としても機能する。
【００４６】
実行指令追加部２４０は、ユーザ入力に応じて、任意の外部サーバ１５０にコンテンツをアップロードするとき、アップロード情報に加えてコンテンツを削除するための削除実行モジュールの実行指令をテーブルに追加する。こうしてアップロード情報に実行指令が関連付けられる。
【００４７】
このように、実行指令追加部２４０は、本実施形態において、アップロード情報によるコンテンツの特定のみならず、その削除を補助する削除実行モジュールの実行指令もテーブルに関連付ける。かかる削除実行モジュールは、外部サーバ１５０から提供される削除専用ＵＲＬ、電子メールアドレス等のアクセス情報を含み、コンテンツＩＤを用いて単独でコンテンツを削除することが可能な実行形式、例えば、「http://****/*****?account=1234&contents_id=654321」といった記載で形成される。
【００４８】
端末情報表示部２４２は、アップロードしたコンテンツを含んでいれば、アップロード情報によって特定されるコンテンツの削除確認インターフェース２８０を端末表示部２１４に表示する。
【００４９】
図７は、削除確認インターフェース２８０を説明するための説明図である。ここでは、端末表示部２１４に削除確認インターフェース２８０が表示され、削除確認インターフェース２８０にはコンテンツの簡易的表示であるサムネイル２８２と、アップロード情報２８４と、チェックボックス２８６とが示される。ユーザは、かかるサムネイル２８２やアップロード情報２８４を参照しつつ、削除を所望するコンテンツのチェックボックス２８６にチェックを入れる。このとき、テーブル２６０に含まれるコンテンツを個々に削除することもできるが、「ＡＬＬ  ＤＥＬＥＴＥ」にチェックを入れることで、強制的に全コンテンツを削除することもできる。
【００５０】
また、端末情報表示部２４２は、少なくとも当該携帯無線端末１１０の通信機能解除または内部情報削除をする場合に機能するとしてもよい。
【００５１】
携帯無線端末１１０の解約やリセットに伴う通信機能解除や内部情報削除が生じた場合、その後におけるコンテンツの削除には多大な労力を費やしてしまう。本実施形態では、このような通信機能解除や内部情報削除といったタイミングで、無線通信が絶たれる前に、コンテンツの把握および削除の是非を問う端末情報表示部２４２を機能させることで、削除容易なタイミングを逃してしまうといった事態に陥るのを回避できる。
【００５２】
端末削除受付部２４４は、削除確認インターフェース２８０を通じて削除対象となる１または複数のコンテンツが指定（選択）された場合に、そのコンテンツ群を削除対象として受け付ける。
【００５３】
コンテンツ削除部２４６は、端末削除受付部２４４で受け付けた削除対象となるコンテンツをアップロード先である外部サーバ１５０から削除する。特に実行指令追加部２４０によりテーブル２６０に削除実行モジュールの実行指令が関連付けられている場合、その削除実行モジュールの実行指令を遂行することで、確実かつ迅速にコンテンツを削除することができる。このとき、外部サーバ１５０に設けられた閲覧期限等により既にコンテンツが削除されている場合は、削除処理を省略する。
【００５４】
アップロード情報削除部２４８は、コンテンツ削除部２４６が削除したコンテンツのアップロード情報をテーブル２６０から削除する。
【００５５】
コンテンツが削除されるとそのコンテンツのアップロード情報は最早不要となる。従って、コンテンツに連動させてテーブル２６０からアップロード情報を削除することで、不要な情報の残留を回避し、ユーザは、有効なコンテンツのみを一度に把握することが可能となる。ここで、端末メモリ２１２は、テーブル２６０に含まれるアップロード情報がすべて削除されるまで、通信機能解除や内部情報削除が生じたとしてもテーブル２６０を保持する。
【００５６】
ただし、アップロード情報削除部２４８によるアップロード先である外部サーバ１５０とテーブル２６０との連動は、あくまで外部サーバ１５０に保持されたコンテンツとの連動であり、携帯無線端末１１０内の端末メモリ２１２内に保持されたコンテンツの元データと連動する必要はない。従って、アップロードされたコンテンツが削除された場合、携帯無線端末１１０内の対応するコンテンツがまだ存在していたとしてもそのアップロード情報はテーブル２６０から削除される。
【００５７】
かかる一連の処理で削除対象として選択されなかったコンテンツは、削除を断念もしくは保留したものであり、通信機能解除や内部情報削除が生じた後であっても、そのコンテンツＩＤを用いて、他の携帯無線端末やパーソナルコンピュータ等で削除することができる。
【００５８】
本実施形態では、外部サーバ１５０にコンテンツをアップロードした際に付与されるアップロード情報をリスト化してテーブルが生成される。端末情報表示部２４２は、かかるテーブルを参照することでアップロード情報を画一的に表示でき、ユーザに対してコンテンツのアップロード状態を一度に把握させることができる。また、アップロード情報と共に表示される削除確認インターフェース２８０を通じて、ユーザは削除を望むコンテンツを容易に探し出すことができ、アップロード情報を選択するだけといった簡単な操作のみでコンテンツの実際の削除を実行できる。こうして、本来削除すべきコンテンツがいつまでも残り続けるといった事態を回避することが可能となる。さらに、当該テーブルは過去のアップロード履歴としても利用できるためアップロードしたことを失念した場合においてもそのコンテンツを確実に把握および削除することができる。
【００５９】
（無線通信方法）
次に、携帯無線端末１１０を用いてコンテンツを操作する無線通信方法を説明する。
【００６０】
図８は、無線通信方法の特にコンテンツのアップロードに関して、図９は、コンテンツの削除に関してのフローチャートを示している。
【００６１】
図８を参照すると、携帯無線端末１１０は、基地局１２０および通信網１３０を通じて外部サーバ１５０との通信接続を行い（Ｓ３００）、アカウント情報を入力してその外部サーバ１５０にログインする（Ｓ３０２）。続いて、ユーザ入力に応じてアップロードを所望するコンテンツを選択し（Ｓ３０４）、そのコンテンツのアップロード処理を遂行する（Ｓ３０６）。
【００６２】
かかるアップロード処理を遂行した後、そのアップロード処理が正常終了されたかどうか判定され（Ｓ３０８）、正常終了されていれば（Ｓ３０８のＹＥＳ）、コンテンツＩＤを取得し（Ｓ３１０）、そのコンテンツＩＤをテーブル２６０に保存して（Ｓ３１２）、アップロードが完了した旨ユーザに報知する（Ｓ３１４）。正常終了されていなければ（Ｓ３０８のＮＯ）、アップロードが正常に行われなかった旨ユーザに通知する（Ｓ３１６）。
【００６３】
続いて、過去にアップロードしたコンテンツを削除しようと試みた場合、図９に示すように、携帯無線端末１１０は、アップロード情報によって特定されるコンテンツの削除確認インターフェース２８０を端末表示部２１４に表示し（Ｓ３５０）、削除確認インターフェース２８０を通じた１または複数のコンテンツのユーザ入力があると（Ｓ３５２）、その１または複数のコンテンツを削除対象として受け付ける（Ｓ３５４）。
【００６４】
次に、テーブル２６０のサイトＩＤ２７０を用いてコンテンツアップロード先の外部サーバ１５０との通信接続を行い（Ｓ３５６）、アカウント情報を入力してその外部サーバ１５０にログインする（Ｓ３５８）。そして、受け付けた削除対象となるコンテンツを、コンテンツＩＤおよびアカウント情報を用いてアップロード先である外部サーバ１５０から削除する（Ｓ３６０）。
【００６５】
引き続き携帯無線端末１１０は、コンテンツ削除部２４６が削除したコンテンツのアップロード情報をテーブル２６０から削除する（Ｓ３６２）。当該コンテンツ削除が通信機能解除や内部情報削除に対応した削除であれば、即ち、通信機能解除や内部情報削除のタイミングによるものであれば（Ｓ３６４）、通信機能解除や内部情報削除が実行される（Ｓ３６６）。
【００６６】
かかる無線通信方法においても、コンテンツのアップロード状態を画一的な手段で一度に把握でき、本来削除すべきコンテンツがいつまでも残り続けるといった事態を回避することが可能となる。
【００６７】
（第２の実施形態：コンテンツ参照システム）
上述した第１の実施形態では、携帯無線端末１１０が単体で処理を完結し、コンテンツの削除を遂行している。第２の実施形態においても同様の処理が実行されるが、ここでは、携帯無線端末１１０に管理サーバを接続したコンテンツ参照システムが適用される。
【００６８】
ここで、管理サーバは、例えば通信事業者の専用サーバであり、携帯無線端末１１０と例えば有線ケーブル等、基地局１２０を介する通信とは別の通信回線により接続される。
【００６９】
（管理サーバ４００、携帯無線端末４１０、）
図１０は、第２の実施形態における管理サーバ４００および携帯無線端末４１０のハードウェア構成を示した機能ブロック図である。
【００７０】
管理サーバ４００は、サーバ制御部５１０と、サーバメモリ５１２と、サーバ表示部５１４と、サーバ操作部５１６と、サーバ通信部５１８とを含んで構成される。
【００７１】
サーバ制御部５１０は、中央処理装置（ＣＰＵ）を含む半導体集積回路により管理サーバ４００全体を管理および制御する。サーバメモリ５１２は、ＲＯＭ、ＲＡＭ、ＥＥＰＲＯＭ、不揮発性ＲＡＭ、フラッシュメモリ、ＨＤＤ等で構成され、サーバ制御部５１０で処理されるプログラム等を記憶する。サーバ表示部５１４は、少なくとも端末表示部２１４より画面サイズの大きい液晶ディスプレイ、ＥＬ、ＰＤＰ（Plasma Display Panel）等で構成され、携帯無線端末４１０の内部情報を表示する。サーバ操作部５１６は、キーボード、マウス、十字キー、ジョイスティック等の可動スイッチで構成され、ユーザの操作入力を受け付ける。サーバ通信部５１８は、携帯無線端末４１０と無線または有線で接続され、携帯無線端末４１０との通信を遂行する。
【００７２】
また、サーバ制御部５１０は、情報取得部５５０、サーバ情報表示部５５２、サーバ削除受付部５５４、削除コンテンツ通知部５５６として機能する。
【００７３】
情報取得部５５０は、アップロード情報が記されたテーブル２６０を、携帯無線端末４１０の端末メモリ２１２から取得する。
【００７４】
サーバ情報表示部５５２は、情報取得部５５０が取得したテーブル２６０に基づいて、アップロード情報によって特定されるコンテンツの削除確認インターフェース２８０をサーバ表示部５１４に表示する。
【００７５】
サーバ削除受付部５５４は、削除確認インターフェース２８０を通じて削除対象となる１または複数のコンテンツが指定（選択）された場合に、そのコンテンツ群を削除対象として受け付ける。
【００７６】
削除コンテンツ通知部５５６は、サーバ削除受付部５５４で受け付けた削除対象となる１または複数のコンテンツを携帯無線端末４１０に通知する。
【００７７】
携帯無線端末４１０は、端末制御部２１０と、端末メモリ２１２と、端末表示部２１４と、端末操作部２１６と、音声入力部２１８と、音声出力部２２０と、端末無線通信部２２２と、撮像部２２４と、端末通信部５２４とを含んで構成される。端末通信部５２４は、管理サーバ４００と無線または有線で接続され、管理サーバ４００との通信を遂行する。そして、端末制御部２１０は、コンテンツ削除部２４６、アップロード情報削除部２４８としても機能する。かかる携帯無線端末４１０の構成は、第１の実施形態において携帯無線端末１１０の構成要素と実質的に機能が同一なのでここでは重複説明を省略する。
【００７８】
第２の実施形態では、第１の実施形態同様、コンテンツのアップロード状態を画一的な手段で一度に把握でき、本来削除すべきコンテンツがいつまでも残り続けるといった事態を回避することが可能となる。
【００７９】
さらに、第２の実施形態においては、過去にアップロードしたコンテンツのアップロード情報を別体の管理サーバ４００を通じて把握および削除することができる。例えば、管理サーバ４００において携帯無線端末４１０より大きいモニタ（サーバ表示部５１４）を準備した場合、削除を望むコンテンツを容易に探し出すことができる。また、管理サーバ４００が携帯無線端末４１０より処理能力が優れている場合、削除処理に費やす時間を削減でき、解約等手続の効率化を図ることが可能となる。
【００８０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８１】
例えば、上述した実施形態においては、コンテンツの削除をユーザに委ね、ユーザは個々のコンテンツまたはすべてのコンテンツの削除を自分の意志で削除可能であるが、かかる場合に限らず、リソース確保等の目的で、例えば携帯無線端末の解約時にその携帯無線端末を用いてアップロードされたコンテンツを通信事業者が強制的に削除することも可能である。このような強制的なコンテンツの削除や権限有る第三者による削除も本発明の技術範囲に属するものと了解される。
【００８２】
なお、本明細書の無線通信方法における各工程は、必ずしもフローチャートとして記載された順序に沿って時系列に処理する必要はなく、並列的あるいはサブルーチンによる処理を含んでもよい。
【産業上の利用可能性】
【００８３】
本発明は、外部サーバへアップロードしたコンテンツを参照可能な携帯無線端末、無線通信方法、およびコンテンツ参照システムに利用することができる。
【図面の簡単な説明】
【００８４】
【図１】第１の実施形態におけるコンテンツ参照システムの概略的な接続関係を示した説明図である。
【図２】第１の実施形態における携帯無線端末のハードウェア構成を示した機能ブロック図である。
【図３】第１の実施形態における携帯無線端末１１０の外観を示した斜視図である。
【図４】第１の実施形態におけるテーブルの構成を示した説明図である。
【図５】第１の実施形態におけるテーブルの構成を示した説明図である。
【図６】第１の実施形態におけるテーブルの構成を示した説明図である。
【図７】第１の実施形態における削除確認インターフェースを説明するための説明図である。
【図８】第１の実施形態における無線通信方法の特にコンテンツのアップロードに関するフローチャートである。
【図９】第１の実施形態における無線通信方法の特にコンテンツの削除に関するフローチャートである。
【図１０】第２の実施形態における管理サーバおよび携帯無線端末のハードウェア構成を示した機能ブロック図である。
【符号の説明】
【００８５】
１１０、４１０  …携帯無線端末
１５０  …外部サーバ
２１２  …端末メモリ
２１４  …端末表示部
２４０  …実行指令追加部
２４２  …端末情報表示部
２４４  …端末削除受付部
２４６  …コンテンツ削除部
２４８  …アップロード情報削除部
２６０  …テーブル
２８０  …削除確認インターフェース
４００  …管理サーバ
５１４  …サーバ表示部
５２４  …端末通信部
５５０  …情報取得部
５５２  …サーバ情報表示部
５５４  …サーバ削除受付部
５５６  …削除コンテンツ通知部
【図１】
2010033341.tif 000003
【図２】
2010033341.tif 000004
【図３】
2010033341.tif 000005
【図４】
2010033341.tif 000006
【図５】
2010033341.tif 000007
【図６】
2010033341.tif 000008
【図７】
2010033341.tif 000009
【図８】
2010033341.tif 000010
【図９】
2010033341.tif 000011
【図１０】
2010033341.tif 000012